(57)【要約】【課題】小型で取り扱いに優れ、さまざまな角度から確認可能な表示部を持った撮像装置を提供すること。【解決手段】ヒンジ部のレンズ光軸に垂直な開閉軸及び回転軸を中心として本体部に回動自在に接続された表示部は、レンズ部の配置側と前記本体部を挟んで反対側でかつ表示面が本体側を向いた第１の位置と、表示面が外側を向いた第２の位置と、前記表示面が前記本体部の側面部と略平行でかつ表示面が外側になる第３の位置と、表示面が本体側を向いた第４の位置とに移動可能で、前記第１の位置及び第４の位置で前記表示部の画像表示を行わないことを特徴とする。【選択図】図１７
2016090980.tif 000002
【特許請求の範囲】
【請求項１】
撮像装置本体部と、レンズ部またはレンズ取り付け部と、レンズ光軸に垂直な開閉軸及び前記開閉軸に垂直な回転軸を持つヒンジ部と、前記本体部に対し前記ヒンジ部にて連結され、前記開閉軸及び前記回転軸を中心として前記本体部に回動自在に接続された画像表示可能な表示部と、
前記ヒンジ部は前記本体部の背面部と側面部とがなす角部近傍に配置され、前記ヒンジ部により、前記表示部は前記レンズ部の配置側と前記本体部を挟んで反対側でかつ表示面が本体側を向いた第１の位置と、前記前記第１の位置から回転方向に前記表示部を回転させることにより表示面が外側を向いた第２の位置と、前記表示部の表示面を開閉方向に回転させることにより前記表示面が前記本体部の側面部と平行でかつ表示面が外側になる第３の位置と、前記第３の位置から回転方向に前記表示部を回転させることにより表示面が本体側を向いた第４の位置とに移動可能で、前記第１の位置及び第４の位置で前記表示部の画像表示を行わない制御手段を持つことを特徴とする撮像装置。
【請求項２】
前記第１と第３の位置の間に開閉方向に移動する間にあり、前記本体部の光軸方向への投影領域の外に前記表示部があり、かつレンズと反対側に前記表示面を持つ第５の位置と、前記第５の位置から回転方向に前記表示部を回転させることにより表示面がレンズ側を向いた第６の位置とを持ち、前記第２、第３、第５、第６の位置での表示状態をそれぞれ変更する制御手段を持つことを特徴とする請求項１に記載の撮像装置。
【請求項３】
前記第１及び第３の位置から第２、第４の位置へ回転方向に回転させたことを検知する第１の検知スイッチと、前記第１の位置から第５の位置への開閉、及び第５の位置から第３の位置への開閉とをそれぞれ違う信号として検知する第２の検知スイッチとを持つことを特徴とする請求項１又は請求項２に記載の撮像装置。
【請求項４】
前記第３、第５の位置での表示状態を同一にすることを特徴とする請求項２に記載の撮像装置。
【請求項５】
前記ヒンジ部は表示部側締結部、本体側締結部、及び回転軸、開閉軸にて形成され、前記回転軸に設けられ、前記第１の検知スイッチをＯＮ／ＯＦＦする回転軸突起部と、前記開閉軸に設けられ、第２の検知スイッチのうち前記第１の位置から第５の位置への開閉をＯＮ／ＯＦＦする第１の開閉軸突起部と、第２の検知スイッチのうち前記第５の位置から第３の位置への開閉をＯＮ／ＯＦＦする第２の開閉軸突起部と持つことを特徴とする請求項１乃至請求項４の何れか一項に記載の撮像装置。
【発明の詳細な説明】
【技術分野】
【０００１】
本発明は、撮像装置に関し、特に本体部及び表示部の配置及び動作と、それに伴う表示状態の遷移に関する。
【背景技術】
【０００２】
従来の撮像装置においては、撮影される映像を確認するための表示部を持つものが多い。また、特に業務用途のビデオカメラ等の撮像装置においては、さまざまな角度、保持方法で撮影を行う関係上、表示部は様々な角度で使用できることが望ましい。その際、見る位置や表示部の配置によっては表示部に表示される画像を上下や左右に反転表示されることが望ましい。
【０００３】
特許文献１には、表示部が回動可能で、また表示画像を反転表示させる/させないを検出スイッチ及び別のスイッチにて変更することが可能な撮像装置が開示されている。特許文献2には、マグネット等の磁場発生手段を用いてヒンジにて連結された表示部の状態を検出して表示画像の状態を変えるような携帯情報端末も開示されている。
【先行技術文献】
【特許文献】
【０００４】
【特許文献１】特開２０１１−１０３５５１号公報
【特許文献２】特開２００５−３０３６８８号公報
【発明の概要】
【発明が解決しようとする課題】
【０００５】
しかしながら、特許文献１では、2種類の表示方向表示しかなく、スイッチによりその状態を切り替えるだけのため、より多くの表示状態を持つような装置及び表示に関しては考慮されていない。特許文献２では、４つの状態の各状態の検出は可能だが、４つの状態より多くの状態を持つような装置に及び表示に関しては考慮されていない。
【０００６】
そこで、本発明の目的は、複数の表示状態及び収納状態を持つ表示部に対し、状態に応じた表示を行うことができ、かつバッテリー消費の少ない撮像装置を提供することにある。
【課題を解決するための手段】
【０００７】
上記の目的を達成するために、本発明の撮像装置は、
撮像装置本体部と、レンズ部またはレンズ取り付け部と、レンズ光軸に垂直な開閉軸及び前記開閉軸に垂直な回転軸を持つヒンジ部と、前記本体部に対し前記ヒンジ部にて連結され、前記開閉軸及び前記回転軸を中心として前記本体部に回動自在に接続された画像表示可能な表示部と、前記ヒンジ部は前記本体部の背面部と側面部とがなす角部近傍に配置され、
前記ヒンジ部により、前記表示部は前記レンズ部の配置側と前記本体部を挟んで反対側でかつ表示面が本体側を向いた第１の位置と、前記前記第１の位置から回転方向に前記表示部を回転させることにより表示面が外側を向いた第２の位置と、前記表示部の表示面を開閉方向に回転させることにより前記表示面が前記本体部の側面部と略平行でかつ表示面が外側になる第３の位置と、前記第３の位置から回転方向に前記表示部を回転させることにより表示面が本体側を向いた第４の位置とに移動可能で、前記第１の位置及び第４の位置で前記表示部の画像表示を行わない制御手段を持つことを特徴とする。
【０００８】
また、本発明の撮像装置の他の特徴とするところは、前記第１と第３の位置の間に開閉方向に移動する間にあり、前記本体部の光軸方向への投影領域の外に前記表示部があり、かつレンズと反対側に前記表示面を持つ第５の位置と、前記第５の位置から回転方向に前記表示部を回転させることにより表示面がレンズ側を向いた第６の位置とを持ち、前記第２、第３、第５、第６の位置での表示状態をそれぞれ変更する制御手段を持つことを特徴とする。
【０００９】
また、本発明の撮像装置の他の特徴とするところは、前記第１及び第３の位置から第２、第４の位置へ回転方向に回転させたことを検知する第１の検知スイッチと、前記第１の位置から第５の位置への開閉、及び第５の位置から第３の位置への開閉とをそれぞれ違う信号として検知する第２の検知スイッチとを持つことを特徴とする。
【００１０】
また、本発明の撮像装置の他の特徴とするところは、前記第３、第５の位置での表示状態を同一にすることを特徴とする。
【００１１】
また、本発明の撮像装置の他の特徴とするところは、前記ヒンジ部は表示部側締結部、本体側締結部、及び回転軸、開閉軸にて形成され、前記回転軸に設けられ、前記第１の検知スイッチをＯＮ／ＯＦＦする回転軸突起部と、前記開閉軸に設けられ、第２の検知スイッチのうち前記第１の位置から第５の位置への開閉をＯＮ／ＯＦＦする第１の開閉軸突起部と、第２の検知スイッチのうち前記第５の位置から第３の位置への開閉をＯＮ／ＯＦＦする第２の開閉軸突起部と持つことを特徴としている。
【発明の効果】
【００１２】
本発明によれば、複数の表示状態及び収納状態を持つ表示部に対し、状態に応じた表示を行うことができ、かつバッテリー消費の少ない撮像装置の提供を実現できる。
【図面の簡単な説明】
【００１３】
【図１】本発明の実施形態にかかわる撮像装置の表示部収納状態での右後方斜視図。
【図２】表示部120を開いた状態での撮像装置の右後方斜視図。
【図３】表示部120を開いた状態での撮像装置の右前方斜視図。
【図４】表示部120を開いてレンズ側に表示面を180°回転させた状態での撮像装置の右前方斜視図。
【図５】表示部120を反転収納した状態での撮像装置の右後方斜視図。
【図６】表示部120を本体右側面部103側まで開いた状態での撮像装置の右後方斜視図。
【図７】表示部120を本体右側面部103側まで開いて表示面を180°回転させた状態での撮像装置の右後方斜視図。
【図８】表示側ヒンジカバー310及び本体側ヒンジカバー320を外したヒンジ部130近傍の右後方斜視図。
【図９】本体側ヒンジカバー 320を外した状態での右下側面視のヒンジ部130近傍拡大図。
【図１０】本発明の実施形態にかかわる撮像装置の右側面視図。
【図１１】図１０の右側面視図の中のA-A断面で切ったヒンジ部130近傍の断面拡大図。
【図１２】図２の状態での図１１と同一箇所での断面拡大図。
【図１３】図６の状態での図１１と同一箇所での断面拡大図。
【図１４】本発明の実施形態にかかわる撮像装置の背面視図。
【図１５】図１４の背面視図の中のD-D断面で切ったヒンジ部130近傍の断面拡大図。
【図１６】図５の状態での図１５と同一箇所での断面拡大図。
【図１７】本発明の実施形態にかかわる撮像装置のスイッチによる表示状態を示す図。
【図１８】本発明の実施形態にかかわる撮像装置のフローチャート。
【図１９】従来の撮像装置のスイッチによる表示状態を示す図。
【図２０】従来の撮像装置のフローチャート。
【発明を実施するための形態】
【００１４】
以下、本発明を実施するための形態を図面に基づいて説明する。
【００１５】
図１は本発明の実施形態にかかわる撮像装置の表示部収納状態での右後方斜視図である。撮像装置100は、本体部 101上に配置された電源スイッチ部 102、レンズ光軸方向レンズ側から見た、本体右側面部 103、バッテリーボックス部 104、交換レンズ部 110、表示部 120、ヒンジ部130、ファインダー部 150、外部接続部 160等から構成されている。表示部 120は本体側とヒンジ部 130を介して開閉方向及び回転方向に回動可能につながっている。また、図１の状態では、表示部 120は本体背面側に収納された状態となっている。
【００１６】
ヒンジ部 130は、本体部 101の本体右側面部103と本体背面カバー部 106（位置後述）との角部もしくはその近傍に配置され、ヒンジ開閉軸130aをレンズ光軸と垂直な方向に持つ。また、ヒンジ開閉軸130aに垂直なヒンジ回転軸130bを持ち、ヒンジ回転軸130bを回転中心として表示部 120の短辺方向にも回転可能となっている。また、ヒンジ部 130は表示側ヒンジカバー 310及び本体側ヒンジカバー 320によって内部構造をカバーしており、ゴミの侵入防止や強度アップ、外観上の見え向上等を行っている。
【００１７】
図２に表示部 120を開いた状態での撮像装置の右後方斜視図、図３に表示部 120を開いた状態での撮像装置の右前方斜視図を示す。図２に示すように、表示部 120を図1の状態からヒンジ部 130のヒンジ開閉軸130aを中心に180度開いた状態では、本体背面カバー部 106に配置された背面スイッチ部 107、及びカード状記録媒体220（図示せず）を保護する蓋部 200が外観面に露出する。また、着脱可能なバッテリー 140がバッテリーボックス部 104に収納されている。
【００１８】
表示部 120には、図１の収納状態では本体部101の側を向いて外部に露出していなかった、表示面部 121、及び操作用十字スイッチ部 122、パネルスイッチ部 123が配置されている。また、図３に示すように交換レンズ部 110は交換レンズマウント部 111によって本体部 101に取り付き、さまざまな交換レンズ（図示せず）と交換して取り付けることが可能となっている。交換レンズ部 110は交換レンズ着脱ノブ 112によって交換レンズマウント部 111からのロック／アンロック動作を行うことにより着脱可能になっている。
【００１９】
また本体部 101のレンズ光軸方向レンズ側から見た、左側面部 109にはグリップトリガ部 171等が配置された着脱可能なグリップ部 170を持ち、撮像装置 100をしっかりとホールドして撮影可能となっている。さらに、ヒンジ部 130が配置されている側と反対側の面にグリップ部 170を配置することにより、撮影者がグリップ部 170を保持しながら表示部 120の表示面部 121を目で確認する際にも左腕や左手が邪魔することなく撮影を行うことが可能となっている。
【００２０】
さらに図２及び図３の状態で、ヒンジ部 130はクリック部（図示せず）を持ち、0°及び180°の部分にクリック感を持つ構成となっており、0°の収納状態及び180°開いた状態をより保持しやすくなっている。これによりたとえば操作用十字スイッチ部122、パネルスイッチ部 123の操作時にも簡単に動いたりすることがなく、撮影者の通常使用時の使用感を高めている。
【００２１】
図４に表示部 120を開いてヒンジ開閉軸130aを中心に180°開いた状態で、ヒンジ回転軸130bを中心にレンズ側に表示面部 121を180°回転させた状態での撮像装置の右前方斜視図を示す。これにより前方からも撮影状態を確認することを可能としている。
【００２２】
図５に表示部 120をヒンジ回転軸130bを中心として180°反転収納した状態での撮像装置の右後方斜視図を示す。本発明においては、表示部120はヒンジ部 130によって図４のように表示面部 121を外観面、すなわち外側を向けた状態で反転収納可能に本体部 101と連結されている。これにより、表示部 120が本体部 101の外形内まで収まり、狭い場所や小型が求められるような状況で撮像装置 100を使用したい際に使いやすい構成となっている。
【００２３】
図６に表示部 120を本体右側面部 103側まで開いた状態での撮像装置の右後方斜視図を示す。本発明では特に本体右側面部 103側からも撮影状態が確認できるように図６に示すように本体右側面部 103側までヒンジ部 130により表示部 120の表示面部121を向けることが可能となっている。これにより様々な撮影スタイルで撮影することが可能である。また、本体右側面部 103まで表示部 120が開くことを可能にするためにも、ヒンジ部 130は本体右側面部 103と本体背面カバー部 106との角部近傍に配置されている。
【００２４】
図７に表示部 120を本体右側面部 103側まで開いてヒンジ回転軸130bを中心に表示面部 121を180°回転させた状態での撮像装置の右後方斜視図を示す。本状態においては、図に示すように表示面部 121を確認することができないため、省エネや暗所撮影時の光モレ等の観点から表示を切っておくことが望ましい。
【００２５】
図８に表示側ヒンジカバー 310及び本体側ヒンジカバー320を外したヒンジ部 130近傍の右後方斜視図の拡大図を示す。ヒンジ部 130は表示側ヒンジカバー310内に表示部120のヒンジ回転軸130b方向の回転用の回転軸部 311、回転軸保持部 312、回転検出部313、及び回転検出スイッチ 314を持つ。表示部 120をヒンジ回転軸130b方向に回転させる際には、回転軸部 311を中心として表示部 120が回転する構造となっており、またその際には、回転軸 311に設けられた回転軸突起部 311aにより回転検出部 313上の回転検出スイッチ 314が作動し、画面の上下反転等の表示の切り替えを行うことが可能である。また、回転軸部 311 及び本体上側開閉軸 301は軸中心部分が中空となっており、その部分を本体部 101と表示部 120を電気的に接続する接続ワイヤ部 305を通す構造となっている。
【００２６】
図９に本体側ヒンジカバー 320を外した状態での右下側面視のヒンジ部 130近傍拡大図を示す。本体側ヒンジカバー 320内には、本体上側開閉軸部 301及び本体下側開閉軸部 302、本体上側保持部 303、本体下側保持部 304、及び表示開閉位置検出スイッチ 307を持つ。表示部 120をヒンジ開閉軸130a中心で開閉させる際には、本体上側開閉軸部 301及び本体下側開閉軸部 302によりヒンジ開閉軸130aを中心として表示部 120が開閉方向に回転する構造となっている。ヒンジ部 130は本体上側保持部 303及び本体下側保持部 304により本体部 101と固定される構造となっている。また、本体下側開閉軸 302は表示開閉位置検出スイッチ 307を作動させるための開閉軸突起部A 302a及び開閉軸突起部B 302bを具備している。
【００２７】
図１０に本発明の実施形態にかかわる撮像装置の右側面視図、図１１に図１０の右側面視図の中のA-A断面で切ったヒンジ部 130近傍の断面拡大図、図１２に図２の状態での図１１と同一箇所での断面拡大図、図１３に図６の状態での図１１と同一箇所での断面拡大図を示す。
【００２８】
本体下側保持部 304には表示開閉位置検出スイッチ 307が搭載され、表示開閉位置検出スイッチ 307上の開閉位置検出レバー 307aを左右から押すことにより表示部 120の開閉状態を検出する構成になっている。図１１の状態では、本体下側開閉軸 302の開閉軸突起部A 302aによって、表示開閉位置検出スイッチ 307上の開閉位置検出レバー 307aが左側に押されることにより左側ON状態となる。図１２の状態では開閉軸突起部A 302aが本体下側開閉軸 302の回転により図の上側へ逃げ、表示開閉位置検出スイッチ 307上の開閉位置検出レバー 307aが押されておらず、OFFの状態となる。図１３の状態では本体下側開閉軸 302の開閉軸突起部B 302bによって、、表示開閉位置検出スイッチ 307上の開閉位置検出レバー 307aが右側に押されることにより右側ON状態となる。
【００２９】
図１４に撮像装置の背面視図、図１５に図９の背面視図の中のD-D断面で切ったヒンジ部 130近傍の断面拡大図、図１６に図５の状態での図１５と同一箇所での断面拡大図を示す。
【００３０】
回転軸保持部 312には回転検出部 313が搭載され、回転検出部 313に搭載された回転検出スイッチ 314上の回転検出レバー 314aの押し状態によって表示部 120の回転状態を検出する構成になっている。図１５の状態では、回転検出スイッチ 314上の回転検出レバー 314aは回転検出スイッチ 314を押していない位置にあるため、OFFの状態となる。図１６の状態では図１５の状態からヒンジ回転軸130bを中心として回転軸部 311が回転することにより回転軸部 311上の回転軸突起部 311aによって、回転検出スイッチ 314上の回転検出レバー 314aが押されることによりON状態となる。
【００３１】
図１７に本発明の実施形態にかかわる撮像装置のスイッチの状態による表示状態を示す図、図１８に本発明の実施形態にかかわる撮像装置の制御手段の動作を示すフローチャート、図１９に従来の撮像装置のスイッチによる表示状態を示す図、図２０に従来の撮像装置の制御手段の動作を示すフローチャートを示す。
【００３２】
従来より、撮像装置では表示部 120の表示状態を表示部 120の位置やモード等に応じ、スイッチ等の信号により変更する表示制御手段を保持しており、公知の技術となっている。今回の発明においてもそれらを具備しているものとして説明する。
【００３３】
従来の撮像装置では開閉検出スイッチ700（図示せず）及び本体下側開閉軸 302に設けられた１カ所の突起部がON/OFFするだけの構成のため、図１９の表示状態配分となり、270°反転状態で表示部 120の表示面部 121が表示されたままとなり、無駄に電力を消費する、暗所での撮影時に光が漏れる、等の問題が発生する。図２０のフローチャートに示されるように、従来の撮像装置では、スタート後、ステップS101にて開閉検出スイッチ700及び回転検出スイッチ 314の状態の情報取得を行い、ステップS102にて開閉検出スイッチ700がONしているかどうかを判断する。
【００３４】
開閉検出スイッチ700がONしている場合には、ステップS103にて回転検出スイッチ 314がONしているかどうかを判断する。回転検出スイッチ 314がONしている場合には、ステップS105にて表示画を上下左右反転表示状態（第2の表示状態）とする。回転検出スイッチ 314がONしていない場合には、ステップS106にて表示画をOFF状態（第１の表示状態）とする。
【００３５】
開閉検出スイッチ700がONしていない場合には、ステップS104にてステップS103と同じく回転検出スイッチ 314がONしているかどうかを判断する。回転検出スイッチ 314がONしている場合には、ステップS107にて表示画を上下反転表示状態（第4の表示状態）とする。回転検出スイッチ 314がONしていない場合には、ステップS108にて表示画をOFF状態（第3の表示状態）とする。上記に示したように、従来の撮像装置では、表示状態が4パターンしか選べないため、、270°位置での通常状態及び反転状態の判断をすることができず、無駄に電力を消費する、暗所での撮影時に光が漏れる、等の問題が発生する。
【００３６】
図１７に示されるように、本発明では表示開閉位置検出スイッチ 307が左右2つの状態を検出可能なため、回転検出スイッチ 314と合わせて6種類の状態検知が可能となる。これにより270°表示状態での表示変更や、270°反転状態での表示OFF等が可能になる。図１８のフローチャートに示されるように、本発明ではスタート後、ステップS1にて表示開閉位置検出スイッチ 307及び回転検出スイッチ 314それぞれの状態の情報取得を行い、ステップS2にて表示開閉位置検出スイッチ 307の左側がONしているかどうかを判断する。
【００３７】
ONしている場合にはステップS4にて回転検出スイッチ 314がONしているかどうかを判断し、回転検出スイッチ 314がONしている場合にはステップS7にて表示画を上下左右反転表示状態（第２の表示状態）とする。この場合撮像装置は図５の状態となっている。回転検出スイッチ 314がONしていない場合にはステップS8にて表示画をOFF状態（第１の表示状態）とする。この場合撮像装置は図１の状態となっている。ステップS2にて表示開閉位置検出スイッチ 307の左側がONしていない場合、ステップS3にて表示開閉位置検出スイッチ 307の右側がONしているかどうかを判断する。
【００３８】
ONしている場合にはステップS5にて回転検出スイッチ 314がONしているかどうかを判断し、回転検出スイッチ 314がONしている場合にはステップS8で表示画をOFF状態（第１の表示状態）とする。この場合、撮像装置は図７の状態となっている。回転検出スイッチ 314がONしていない場合には、ステップS9にて表示画を通常表示状態（第５の表示状態）とする。この場合撮像装置は図６の状態となっている。
【００３９】
ステップS3 にて表示開閉位置検出スイッチ 307の右側がONしていない場合、ステップS6にて回転検出スイッチ 314がONしているかどうかを判断し、、回転検出スイッチ 314がONしている場合にはステップS10で表示画を上下反転表示状態（第4の表示状態）とする。この場合、撮像装置は図４の状態となっている。回転検出スイッチ314がONしていない場合には、ステップS11にて表示画を通常表示状態（第３の表示状態）とする。この場合撮像装置は図２の状態となっている。なお、図１〜図７の状態は本発明の代表的な位置であり、その途中位置でももちろん使用可能である。その場合の表示状態に関しては、回転検出スイッチ 314及び表示開閉位置検出スイッチ 307の検知位置によって第１〜第５のいずれかとなる。
【００４０】
これまで述べてきた構成をとることにより、小型で取り扱いに優れ、さまざまな角度から確認可能な表示部を持った撮像装置を提供することができる。
【００４１】
以上、本発明の好ましい実施形態について説明したが、本発明はこれらの実施形態に限定されず、その要旨の範囲内で種々の変形及び変更が可能である。
【符号の説明】
【００４２】
100  撮像装置、101  本体部、102  電源スイッチ部、103  本体右側面部、
104  バッテリーボックス部、106  本体背面カバー部、107  背面スイッチ部、
109  左側面部、110    交換レンズ部、111  交換レンズマウント部、
112  交換レンズ着脱ノブ、120  表示部、121  表示面部、122  操作用十字スイッチ部、
123  パネルスイッチ部、130  ヒンジ部、130a  ヒンジ開閉軸、130b  ヒンジ回転軸、
140  バッテリー、150  ファインダー部、160  外部接続部、170  グリップ部、
171  グリップトリガ部、200  蓋部、220  カード状記録媒体、301  本体上側開閉軸、
302  本体下側開閉軸、302a  開閉軸突起部A、302b  開閉軸突起部B、
303  本体上側保持部、304  本体下側保持部、305  接続ワイヤ部、
307  表示開閉位置検出スイッチ、307a  開閉位置検出レバー、
310  表示側ヒンジカバー、311  回転軸部、311a  回転軸突起部、312  回転軸保持部、
313  回転検出部、314  回転検出スイッチ、314a  回転検出レバー、
320  本体側ヒンジカバー
【図１】
2016090980.tif 000003
【図２】
2016090980.tif 000004
【図３】
2016090980.tif 000005
【図４】
2016090980.tif 000006
【図５】
2016090980.tif 000007
【図６】
2016090980.tif 000008
【図７】
2016090980.tif 000009
【図８】
2016090980.tif 000010
【図９】
2016090980.tif 000011
【図１０】
2016090980.tif 000012
【図１１】
2016090980.tif 000013
【図１２】
2016090980.tif 000014
【図１３】
2016090980.tif 000015
【図１４】
2016090980.tif 000016
【図１５】
2016090980.tif 000017
【図１６】
2016090980.tif 000018
【図１７】
2016090980.tif 000019
【図１８】
2016090980.tif 000020
【図１９】
2016090980.tif 000021
【図２０】
2016090980.tif 000022